【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
互いに異なる位相で周期的に発光される複数の発光領域を有し、各発光領域に２つ以上の光源が配置された発光手段と、
前記発光手段からの光を検出する検出手段と、
前記複数の発光領域の周期的な発光の途中で、前記発光手段の複数の光源を順番に選択し、選択された光源からの光が前記検出手段で検出されるように、前記選択された光源以外の光源の発光輝度を一時的に低減する点灯制御を行う制御手段と、
を有し、
前記制御手段は、前記複数の発光領域のうち互いに異なる発光領域に配置された光源に対する前記点灯制御が順番に行われるように、前記点灯制御の対象の光源を選択する
ことを特徴とする光源装置。
【請求項２】
前記制御手段は、同じ発光領域に配置された光源に対する前記点灯制御が連続して行われない順番で、前記点灯制御の対象の光源を選択する
ことを特徴とする請求項１に記載の光源装置。
【請求項３】
前記制御手段は、前記複数の発光領域のそれぞれにおいてその発光領域における輝度変動の低周波成分の周波数が６０Ｈｚ以上となる順番で、前記点灯制御の対象の光源を選択する
ことを特徴とする請求項１または２に記載の光源装置。
【請求項４】
前記複数の発光領域のそれぞれにおいてその発光領域における輝度変動の低周波成分の周波数が６０Ｈｚ以上となる順番が複数存在する場合に、前記制御手段は、複数の順番のうち前記低周波成分の振幅が最小となる順番で、前記点灯制御の対象の光源を選択する
ことを特徴とする請求項１〜３のいずれか１項に記載の光源装置。
【請求項５】
前記制御手段は、前記複数の発光領域のそれぞれにおいてその発光領域における輝度変動の低周波成分の周波数が６０Ｈｚ以上となる順番及び頻度で、前記点灯制御の対象の光源を選択する
ことを特徴とする請求項１〜４のいずれか１項に記載の光源装置。
【請求項６】
前記点灯制御は、前記選択された光源以外の光源を一時的に消灯する制御である
ことを特徴とする請求項１〜５のいずれか１項に記載の光源装置。
【請求項７】
前記制御手段は、前記光源が点灯を開始するタイミングで当該光源に対する前記点灯制御を開始する
ことを特徴とする請求項１〜６のいずれか１項に記載の光源装置。
【請求項８】
前記制御手段は、前記発光面の中央に近い光源に対する前記点灯制御を優先して行う
ことを特徴とする請求項１〜７のいずれか１項に記載の光源装置。
【請求項９】
互いに異なる位相で周期的に発光される複数の発光領域を有し、各発光領域に２つ以上の光源が配置された発光手段と、
前記発光手段からの光を検出する検出手段と、
前記複数の発光領域の周期的な発光の途中で、前記発光手段の複数の光源を順番に選択し、選択された光源からの光が前記検出手段で検出されるように、前記選択された光源以外の光源の発光輝度を一時的に低減する点灯制御を行う制御手段と、
を有し、
前記制御手段は、前記複数の発光領域のそれぞれにおいてその発光領域における輝度変動の低周波成分の周波数が６０Ｈｚ以上となる順番で、前記点灯制御の対象の光源を選択する
ことを特徴とする光源装置。
【請求項１０】
互いに異なる位相で周期的に発光される複数の発光領域を有し、各発光領域に２つ以上の光源が配置された発光手段と、
前記発光手段からの光を検出する検出手段と、
を有する光源装置の制御方法であって、
前記発光手段の複数の光源を順番に選択する選択ステップと、
前記複数の発光領域の周期的な発光の途中で、選択された光源からの光が前記検出手段で検出されるように、前記選択された光源以外の光源の発光輝度を一時的に低減する点灯制御を行う制御ステップと、
を有し、
前記選択ステップでは、前記複数の発光領域のうち互いに異なる発光領域に配置された光源に対する前記点灯制御が順番に行われるように、前記点灯制御の対象の光源を選択する
ことを特徴とする光源装置の制御方法。
【請求項１１】
前記選択ステップでは、同じ発光領域に配置された光源に対する点灯制御が連続して行われない順番で、前記１光源点灯制御の対象の光源を選択する
ことを特徴とする請求項１０に記載の光源装置の制御方法。
【請求項１２】
前記選択ステップでは、前記複数の発光領域のそれぞれにおいてその発光領域における輝度変動の低周波成分の周波数が６０Ｈｚ以上となる順番で、前記点灯制御の対象の光源を選択する
ことを特徴とする請求項１０または１１に記載の光源装置の制御方法。
【請求項１３】
前記複数の発光領域のそれぞれにおいてその発光領域における輝度変動の低周波成分の周波数が６０Ｈｚ以上となる順番が複数存在する場合に、前記選択ステップでは、複数の順番のうち前記低周波成分の振幅が最小となる順番で、前記点灯制御の対象の光源を選択する
ことを特徴とする請求項１０〜１２のいずれか１項に記載の光源装置の制御方法。
【請求項１４】
前記選択ステップでは、前記複数の発光領域のそれぞれにおいてその発光領域における輝度変動の低周波成分の周波数が６０Ｈｚ以上となる順番及び頻度で、前記点灯制御の対象の光源を選択する
ことを特徴とする請求項１０〜１３のいずれか１項に記載の光源装置の制御方法。
【請求項１５】
前記点灯制御は、前記選択された光源以外の光源を一時的に消灯する制御である
ことを特徴とする請求項１０〜１４のいずれか１項に記載の光源装置の制御方法。
【請求項１６】
前記制御ステップでは、前記光源が点灯を開始するタイミングで当該光源に対する前記点灯制御を開始する
ことを特徴とする請求項１０〜１５のいずれか１項に記載の光源装置の制御方法。
【請求項１７】
前記制御ステップでは、前記発光面の中央に近い光源に対する前記点灯制御を優先して行う
ことを特徴とする請求項１０〜１６のいずれか１項に記載の光源装置の制御方法。
【請求項１８】
互いに異なる位相で周期的に発光される複数の発光領域を有し、各発光領域に２つ以上の光源が配置された発光手段と、
前記発光手段からの光を検出する検出手段と、
を有する光源装置の制御方法であって、
前記発光手段の複数の光源を順番に選択する選択ステップと、
前記複数の発光領域の周期的な発光の途中で、選択された光源からの光が前記検出手段で検出されるように、前記選択された光源以外の光源の発光輝度を一時的に低減する点灯制御を行う制御ステップと、
を有し、
前記選択ステップでは、前記複数の発光領域のそれぞれにおいてその発光領域における輝度変動の低周波成分の周波数が６０Ｈｚ以上となる順番で、前記点灯制御の対象の光源を選択する
ことを特徴とする光源装置の制御方法。
【請求項１９】
請求項１０〜１８のいずれか１項に記載の光源装置の制御方法の各ステップをコンピュータに実行させることを特徴とするプログラム。 
【手続補正２】
【補正対象書類名】明細書
【補正対象項目名】０００８
【補正方法】変更
【補正の内容】
【０００８】
本発明の第１の態様は、
互いに異なる位相で周期的に発光される複数の発光領域を有し、各発光領域に２つ以上の光源が配置された発光手段と、
前記発光手段からの光を検出する検出手段と、
前記複数の発光領域の周期的な発光の途中で、前記発光手段の複数の光源を順番に選択し、選択された光源からの光が前記検出手段で検出されるように、前記選択された光源以外の光源の発光輝度を一時的に低減する点灯制御を行う制御手段と、
を有し、
前記制御手段は、前記複数の発光領域のうち互いに異なる発光領域に配置された光源に対する前記点灯制御が順番に行われるように、前記点灯制御の対象の光源を選択する
ことを特徴とする光源装置である。
本発明の第２の態様は、
互いに異なる位相で周期的に発光される複数の発光領域を有し、各発光領域に２つ以上の光源が配置された発光手段と、
前記発光手段からの光を検出する検出手段と、
前記複数の発光領域の周期的な発光の途中で、前記発光手段の複数の光源を順番に選択し、選択された光源からの光が前記検出手段で検出されるように、前記選択された光源以外の光源の発光輝度を一時的に低減する点灯制御を行う制御手段と、
を有し、
前記制御手段は、前記複数の発光領域のそれぞれにおいてその発光領域における輝度変動の低周波成分の周波数が６０Ｈｚ以上となる順番で、前記点灯制御の対象の光源を選択する
ことを特徴とする光源装置である。
【手続補正３】
【補正対象書類名】明細書
【補正対象項目名】０００９
【補正方法】変更
【補正の内容】
【０００９】
本発明の第３の態様は、
互いに異なる位相で周期的に発光される複数の発光領域を有し、各発光領域に２つ以上の光源が配置された発光手段と、
前記発光手段からの光を検出する検出手段と、
を有する光源装置の制御方法であって、
前記発光手段の複数の光源を順番に選択する選択ステップと、
前記複数の発光領域の周期的な発光の途中で、選択された光源からの光が前記検出手段で検出されるように、前記選択された光源以外の光源の発光輝度を一時的に低減する点灯制御を行う制御ステップと、
を有し、
前記選択ステップでは、前記複数の発光領域のうち互いに異なる発光領域に配置された光源に対する前記点灯制御が順番に行われるように、前記点灯制御の対象の光源を選択する
ことを特徴とする光源装置の制御方法である。
本発明の第４の態様は、
互いに異なる位相で周期的に発光される複数の発光領域を有し、各発光領域に２つ以上の光源が配置された発光手段と、
前記発光手段からの光を検出する検出手段と、
を有する光源装置の制御方法であって、
前記発光手段の複数の光源を順番に選択する選択ステップと、
前記複数の発光領域の周期的な発光の途中で、選択された光源からの光が前記検出手段で検出されるように、前記選択された光源以外の光源の発光輝度を一時的に低減する点灯制御を行う制御ステップと、
を有し、
前記選択ステップでは、前記複数の発光領域のそれぞれにおいてその発光領域における輝度変動の低周波成分の周波数が６０Ｈｚ以上となる順番で、前記点灯制御の対象の光源を選択する
ことを特徴とする光源装置の制御方法である。